(57)【要約】【課題】使用者が自身の背中の真ん中をより容易且つ適切に洗うことや摩擦することができる身体洗い器具を提供すること。【解決手段】肌を擦る細長帯状の布部１０と、その布部１０の両端に配させて使用者が把持できるように細長く設けられた柄２０と、布部１０と柄２０とを両者の端部同士において連結する紐３０とを備える。布部１０の両端部１１の連通空間１２と、柄２０の先端部２１に設けられた貫通孔２２とに紐３０を通し、その紐３０を輪にして結び、布部１０と柄２０とが両者の端部同士において連結されている。【選択図】図１
0003189892.tif 000002
【実用新案登録請求の範囲】
【請求項１】
肌を擦る細長帯状の布部と、該布部の両端に配させて使用者が把持できるように細長く設けられた柄と、前記布部と前記柄とを両者の端部同士において連結する紐とを備えることを特徴とする身体洗い器具。
【請求項２】
前記布部は、布素材を複数枚重ねて縫い合わせて形成され、両端部が、前記紐を通すことができる連通空間となるように前記布素材が折り曲げられて設けられていることを特徴とする請求項１記載の身体洗い器具。
【請求項３】
前記布部の前記両端部の前記連通空間と、前記柄の先端部に設けられた貫通孔とに前記紐を通し、該紐を輪にして結び、前記布部と前記柄とが両者の端部同士において連結されていることを特徴とする請求項１又は２記載の身体洗い器具。
【考案の詳細な説明】
【技術分野】
【０００１】
この考案は、背中を洗う際などに好適に用いることができる身体洗い器具に関する。
【背景技術】
【０００２】
従前、細長帯状の布部を備える身体洗い器具としては、片面を肌とのこすり合い抵抗の大きい布地にて形成し、且該面の短辺方向に上記布地による多数の突リブを適当間隔毎に設けて垢すり作用面となし、又他側面をスポンジなどの柔軟素材にて形成せしめて仕上げ作用面となした平面細長帯状の本体を構成し、該本体の両端に指掛部を設けたことを特徴として成る背中洗い具（特許文献１参照）が開示されている。
【先行技術文献】
【特許文献】
【０００３】
【特許文献１】実開昭５４−３３８７３号公報（第１頁）
【考案の概要】
【考案が解決しようとする課題】
【０００４】
身体洗い器具に関して解決しようとする問題点は、使用者が自身の背中を洗う際や乾布摩擦を行う際には、図３に示すようにタオルや一般的な垢すりを使用する場合、また、従来の布部の両端に指掛部を設けた背中洗い具にあっても、その使用者の背中の真ん中をより容易且つ適切に洗うことや摩擦することができないことにある。なお、背中の真ん中は、身体の中で唯一手の届かないところであり、痒くなり、孫の手を必要とするところである。
【０００５】
そこで、本考案の目的は、使用者が自身の背中の真ん中をより容易且つ適切に洗うことや摩擦するができる身体洗い器具を提供することにある。
【課題を解決するための手段】
【０００６】
本考案は、上記目的を達成するために次の構成を備える。
本考案にかかる身体洗い器具の一形態によれば、肌を擦る細長帯状の布部と、該布部の両端に配させて使用者が把持できるように細長く設けられた柄と、前記布部と前記柄とを両者の端部同士において連結する紐とを備える。
【０００７】
また、本考案にかかる身体洗い器具の一形態によれば、前記布部は、布素材を複数枚重ねて縫い合わせて形成され、両端部が、前記紐を通すことができる連通空間となるように前記布素材が折り曲げられて設けられていることを特徴とすることができる。
【０００８】
また、本考案にかかる身体洗い器具の一形態によれば、前記布部の前記両端部の前記連通空間と、前記柄の先端部に設けられた貫通孔とに前記紐を通し、該紐を輪にして結び、前記布部と前記柄とが両者の端部同士において連結されている
ことを特徴とすることができる。
【考案の効果】
【０００９】
本考案にかかる身体洗い器具によれば、使用者が自身の背中の真ん中をより容易且つ適切に洗うことや摩擦するができるという特別有利な効果を有する。
【図面の簡単な説明】
【００１０】
【図１】本考案にかかる身体洗い器具の形態例を示す（ａ）正面図及び（ｂ）側面図である。
【図２】図１の形態例を用いて背中を洗う状態を示す説明図である。
【図３】従来のタオルで背中を洗う状態を示す説明図である。
【考案を実施するための形態】
【００１１】
以下、本考案にかかる身体洗い器具の形態例を、図１及び図２に基づいて説明する。
この身体洗い器具は、肌を擦る細長帯状の布部１０と、その布部１０の両端に配させて使用者が把持できるように細長く設けられた柄２０と、布部１０と柄２０とを両者の端部１１、２１同士において連結する紐３０とを備える。すなわち、細長帯状の布部１０と、一対の細長い柄２０と、一対の紐３０とによって構成されており、使用者が自身の背中の真ん中をより容易且つ適切に洗うことができる。
【００１２】
また、本形態例の布部１０は、布素材を複数枚重ねて縫い合わせて形成され、両端部１１、１１が、紐３０を通すことができる連通空間となるように布素材が折り曲げられ、その折り曲げられた形態で縫い合わされることによって設けられている。これによれば、布部１０を容易且つ合理的に製造できる。
【００１３】
また、本形態例では、布部１０の両端部１１、１１の連通空間１２と、柄２０の先端部２１に設けられた貫通孔２１とに紐３０を通し、その紐３０を輪にして結び、布部１０と柄２０とが両者の端部１１、２１同士において連結されている。これによれば、布部１０と柄２０とを紐３０によって容易且つ合理的に連結し、本形態例の身体洗い器具を好適に製造できる。
【００１４】
この布部１０は、一定の幅と厚さに縫製されているため、使い易い。例えば、長さが５０ｃｍ、巾が５ｃｍ、厚さがタオルを数枚重ねて縫い合わせた形態とすることができる。
【００１５】
また、柄２０は、細長い棒状に形成されており、握り易く、特に握力の弱い高齢者等にとっても楽に持てる形態になっている。図１及び図２に示すように、本形態例では、先端部２１に比べて後端部２３の側が太くなるように形成されている。これによれば、握られた柄２０が、抜けにくい形状になっている。なお、柄２０の材質としては、木材やプラスチックを用いることができ、木材によれば、肌触りがよく、把持した場合に滑りにくいなどの効果がある。
【００１６】
また、紐３０は、布部１０と柄２０とを連結させるだけでなく、どの方向にも自由に曲げることができるため、使用者は布部１０を自在に操作できる。例えば、図１の下側に示した紐３０のように捩じれた状態でも、使用者は柄２０を好適に把持した状態で布部１０を自在に操作できる。
【００１７】
従って、本形態例の柄２０によれば、図２に示すように、布部１０を楽に背中の中央の凹部等に誘導でき、布が肌に密着して良く洗うことができる。すなわち、背中全体を含め身体を効率よくきれいに洗うことができる。また、この身体洗い器具を用いて、健康増進のための乾布摩擦を行う際にも、布部１０を背中の中央の凹部等に容易に誘導できる。このため、乾布摩擦を好適に行うことができ、健康増進の効果を高めることができる。
【００１８】
布部１０には、外面側に絹布等の肌に優しい布を配し、内部にはふくらみを形成し易いと共に乾燥し易いポリエステル等の化学繊維等を内蔵することによって、より機能を高めることができる。外面側に絹布を配した布部１０を用いて肌を洗うことで、絹による美肌効果があり、布部１０をたたんで、顔や体全体を洗うこともできる。
【００１９】
以上、本考案の一形態例を説明したが、本考案はこの形態例に何ら限定されるものではなく、本考案の精神を逸脱しない範囲において、種々の形態で実施し得ることは勿論である。
【符号の説明】
【００２０】
１０  布部
１１  端部
１２  連通空間
２０  柄
２１  先端部
２２  貫通孔
２３  後端部
３０  紐
【図１】
0003189892.tif 000003
【図２】
0003189892.tif 000004
【図３】
0003189892.tif 000005